(57)【要約】【課題】  省エネ性の向上、機能性の向上及び信頼性の向上を実現する圧縮空気圧回路用電磁式ドレントラップの制御方法を提供する。【解決手段】  空気圧縮機群を構成する夫々の空気圧縮機が発する空気圧縮機吐出動作信号もしくは該吐出動作信号が入力される除湿機の除湿機運転信号を受信するための吐出動作信号受信手段を備え、該吐出動作信号もしくは除湿機運転信号が送出された時よりその送出が停止されるかもしくはそれ以後所定時間が経過するまでの期間をドレン排出可能なドレン排出可能期間とすると共に、該ドレン排出可能期間が終了し次に吐出動作信号もしくは除湿機運転信号が再び送出されるまでの期間をドレン及び圧縮空気を排出しないドレン排出停止期間とした構成となっている。【選択図】図１
2015132167.tif 000002
【特許請求の範囲】
【請求項１】
圧縮空気の利用量に応じて吐出動作台数が制御される空気圧縮機群と、該空気圧縮機群が吐出する圧縮空気を貯留する１以上のエアータンクとを有する圧縮空気圧回路におけるドレン排出のために接続される電磁式ドレントラップの制御装置であって、
前記空気圧縮機群を構成する夫々の空気圧縮機が発する空気圧縮機吐出動作信号もしくは該空気圧縮機吐出動作信号が入力される除湿機の除湿機運転信号を受信するための吐出動作信号受信手段を備え、
該空気圧縮機吐出動作信号もしくは除湿機運転信号が送出された時よりその送出が停止されるかもしくはそれ以後所定時間が経過するまでの期間をドレン排出可能なドレン排出可能期間とすると共に、該ドレン排出可能期間が終了し次に空気圧縮機吐出動作信号もしくは除湿機運転信号が再び送出されるまでの期間をドレン及び圧縮空気を排出しないドレン排出停止期間としたことを特徴とする電磁式ドレントラップの制御装置。
【請求項２】
前記吐出動作信号受信手段の送出する信号をバッファリングもしくは所定時間遅延させるための時間遅延手段と、該時間遅延手段の送出する信号と吐出動作信号受信手段の送出する信号とを論理和もしくは否定論理和する判断手段と、を備えたことを特徴とする請求項１に記載の電磁式ドレントラップの制御装置。
【請求項３】
前記判断手段が送出する信号を１以上の電磁式ドレントラップへ分配送出することが可能な分配手段を備えたことを特徴とする請求項２に記載の電磁式ドレントラップの制御装置。
【請求項４】
前記空気圧縮機吐出動作信号もしくは除湿機運転信号によらずとも連続して動作可能とするための切り替え手段を備えたことを特徴とする請求項１から請求項３のいずれか記載の電磁式ドレントラップの制御装置。
【請求項５】
前記空気圧縮機吐出動作信号もしくは除湿機運転信号の状態を表示する第一表示手段と前記判断手段の送出する判断手段信号の状態を表示する第二表示手段とのいずれかもしくは両方を備えたことを特徴とする請求項１から請求項４のいずれか記載の電磁式ドレントラップの制御装置。
【発明の詳細な説明】
【技術分野】
【０００１】
本発明は、空気圧縮機が吐出する圧縮空気による圧縮空気圧回路より発生したドレンを排出させるための電磁式ドレントラップの制御装置であって、より詳しくは、圧縮空気の利用量に応じて吐出動作台数が制御される空気圧縮機群を備えた構成よりなる圧縮空気圧回路に接続するための電磁式ドレントラップの制御装置に関するものである。
【背景技術】
【０００２】
空気圧縮機が吐出する圧縮空気からは、凝縮水たるドレンが発生する。前記ドレンは、圧縮空気圧回路中において、主に圧縮空気の温度が下がることによる飽和水蒸気量の低下により発生する。かかるドレンは、圧縮空気の利用に際し邪魔なだけでなく、装置の故障を招きかねないものであるため、従来より、圧縮空気圧回路の所定中間箇所へ、ドレンを排出するための電磁式ドレントラップを配置することが一般的であった。
【０００３】
ところで、近年における省エネへの関心の高まりから、多量の電力を消費する空気圧縮機の低消費電力化が進んでおり、特許文献１にみられる圧縮空気の利用量に応じて吐出動作台数が制御される空気圧縮機群を構成する技術提案が公知である。
【０００４】
すなわち、特許文献１の技術提案によれば、例えば、最大１３５ｋＷの空気圧縮機相当の吐出風量が必要な用途において、４５ｋＷの空気圧縮機を３台並列した構成を採用し、風量の消費が少ない場合は、そのうちの１台だけを吐出動作させ、もう２台を吐出動作停止状態とさせたり、逆に、風量の消費が最大量に近い場合には３台同時に吐出動作させたりすることで、吐出動作をさせる空気圧縮機の台数を制御することによって、圧縮空気圧回路システムとしての最大吐出風量を得つつも、風量需要の少ない場合には消費電力を極力抑えることが可能となる。
【０００５】
また、前述のような空気圧縮機群を構成する空気圧縮機は、吐出動作信号送出手段を備え、空気圧縮機吐出動作信号を該空気圧縮機の後段に接続される除湿機に送出し、さらに該除湿機は、空気圧縮機に除湿機運転信号を送出し、該空気圧縮機と該除湿機とを連動運転させて、極力お互いの無駄な動作を減じて、それによる省エネ性の向上を図る圧縮空気圧回路構成もみられる。
【０００６】
ひるがえって、電磁式ドレントラップにおいては、特許文献２の技術提案が存する。
【０００７】
すなわち、特許文献２の技術提案によれば、ドレンタンクと水位センサーとを備え、繰り返される一定の制御サイクル内で、微小開弁期間によってエアーロック現象によるトラップ器内へのドレン不入を回避しつつも、該水位センサーに基づくドレン排出制御を行うことで、ドレンだけを最優先に排出し、無駄な圧縮空気の消費を極力抑えることができる。
【０００８】
しかしながら、特許文献１の技術提案は、空気圧縮機に関するものであり、特許文献２の技術提案は電磁式ドレントラップに関するものであり、この二つの技術提案を同じ圧縮空気圧回路の構成に採用しても、未だ以下に述べるような課題が残されるものである。
【０００９】
すなわち、一定の周期でドレン排出動作ないし圧縮空気排出動作を必ず行う電磁式ドレントラップは、空気圧縮機が吐出動作を行っていなくても、ドレンが存さない場合に、電磁弁を動作させ、回路中に存する圧縮空気を無駄に消費してしまうと共に、所定の動作回数で表される電磁弁の寿命を短くしてしまう、という省エネ性及び信頼性に関する課題が存する。
【００１０】
また、電磁式ドレントラップに空気圧縮機吐出動作信号を確認させてから、ドレン排出のための動作をさせたとしても、該空気圧縮機の運転停止より機器が設置されている周囲温に近づくまでは、なお引き続きドレンが発生する場合がある、という機能性に関する課題も存する。
【００１１】
さらに、１台の空気圧縮機にはアフタークーラー、除湿機、並びにエアータンクなど複数の装置が接続され、さらにそれら各１基に１つの電磁式ドレントラップが接続され得るが、前記空気圧縮機吐出動作信号送出手段は、１回路のみ存することが多く、複数の機器を接続することは事実上不可な場合が多い、という機能性に関する課題も存する。
【００１２】
またさらに、空気圧縮機の吐出動作信号送出手段は、リレー接点回路が多いものであって、故障することがあり、それのみに制御を依存することは、ドレン排出を確実に担保できるとは言い難く、機器に対する信用が低くなる、という信頼性に関する課題も存する。
【００１３】
さらにまた、空気圧縮機が吐出動作を現に行っているかを人間が測定機などを使用せずに簡便に確認するには、該空気圧縮機の吐出動作表示を確認するか、それが存在しない場合には音で確認するしかなく、該空気圧縮機の後段に接続される機器がその設置される部屋を分けられた場合などでは、該機器のそばで確認することは事実上不可能である、という機能性に関する課題も存する。
【００１４】
本出願人は、上述のような従来の圧縮空気圧回路用電磁式ドレントラップの制御方法における機能性の問題点に着目し、省エネ性の向上、機能性の向上及び信頼性の向上を実現するべく、本発明における「圧縮空気圧回路用電磁式ドレントラップの制御装置及び制御方法」の提案に至るものである。
【先行技術文献】
【特許文献】
【００１５】
【特許文献１】特開２００７−１２０４９７号公報
【特許文献２】特願２０１３−２３６５２１号公報
【発明の概要】
【発明が解決しようとする課題】
【００１６】
本発明は、上述の問題点に鑑み、圧縮空気圧回路用電磁式ドレントラップの制御装置の省エネ性の向上、機能性の向上及び信頼性の向上を実現することを課題とする。
【課題を解決するための手段】
【００１７】
上記課題を解決するため、本発明は、圧縮空気の利用量に応じて吐出動作台数が制御される空気圧縮機群と、該空気圧縮機群が吐出する圧縮空気を貯留する１以上のエアータンクとを有する圧縮空気圧回路におけるドレン排出のために接続される電磁式ドレントラップの制御装置であって、該空気圧縮機群を構成する夫々の空気圧縮機が発する空気圧縮機吐出動作信号もしくは該空気圧縮機吐出動作信号が入力される除湿機の除湿機運転信号を受信するための吐出動作信号受信手段を備え、該空気圧縮機吐出動作信号もしくは除湿機運転信号が送出された時よりその送出が停止されるかもしくはそれ以後所定時間が経過するまでの期間をドレン排出可能なドレン排出可能期間とすると共に、該ドレン排出可能期間が終了し次に空気圧縮機吐出動作信号もしくは除湿機運転信号が再び送出されるまでの期間をドレン及び圧縮空気を排出しないドレン排出停止期間とした構成を採用する。
【００１８】
また、本発明は、前記吐出動作信号受信手段の送出する信号をバッファリングもしくは所定時間遅延させるための時間遅延手段と、該時間遅延手段の送出する信号と該吐出動作信号受信手段の送出する信号とを論理和もしくは否定論理和する判断手段とを備えた構成を採用し得る。
【００１９】
さらに、本発明は、前記判断手段が送出する信号を１以上の電磁式ドレントラップへ分配送出することが可能な分配手段を備えた構成を採用し得る。
【００２０】
さらにまた、本発明は、前記空気圧縮機吐出動作信号もしくは除湿機運転信号によらずとも連続して動作可能とするための切り替え手段を備えた構成を採用し得る。
【００２１】
またさらに、本発明は、前記空気圧縮機吐出動作信号もしくは除湿機運転信号の状態を表示する第一表示手段と前記判断手段の送出する判断手段信号の状態を表示する第二表示手段とのいずれかもしくは両方を備えた構成を採用し得る。
【発明の効果】
【００２２】
本発明にかかる「圧縮空気圧回路用電磁式ドレントラップの制御装置」によれば、空気圧縮機が吐出動作していないドレン排出停止期間中は一切の圧縮空気を消費せず、これによる省エネ性の向上を図ることができると共に、電磁弁の動作回数を増やさないことで、電磁弁の寿命を延ばすことが可能であり、これによる信頼性の向上を図ることができる、という優れた効果を奏するものである。
【００２３】
また、本発明にかかる「圧縮空気圧回路用電磁式ドレントラップの制御装置」によれば、空気圧縮機の吐出動作が停止された際に、該空気圧縮機やその後段に接続される機器の配管内の温度が周囲温に近づくまでの間に発生するドレンも所定時間引き続き排出可能であり、これによる機能性の向上を図ることができる、という優れた効果を奏するものである。
【００２４】
さらに、本発明にかかる「圧縮空気圧回路用電磁式ドレントラップの制御装置」によれば、空気圧縮機の吐出動作信号を１以上の電磁式ドレントラップの数かそれ以上の数に分配でき、且つ、複数の電磁式ドレントラップを同時に制御可能であって、これによる機能性の向上を図ることができる、という優れた効果を奏するものである。
【００２５】
またさらに、本発明にかかる「圧縮空気圧回路用電磁式ドレントラップの制御装置」によれば、空気圧縮機吐出動作信号が何らかの故障により送出不能となった場合でも、電磁式ドレントラップを引き続き動作させることが可能であり、これによる信頼性の向上を図ることができる、という優れた効果を奏するものである。
【００２６】
さらにまた、本発明にかかる「圧縮空気圧回路用電磁式ドレントラップの制御装置」によれば、前記空気圧縮機吐出動作信号もしくは除湿機運転信号の状態を人間が測定機などを使用せずに簡便に確認可能であると共に、前記空気圧縮機吐出動作信号もしくは除湿機運転信号が送出されている状態、すなわち、空気圧縮機もしくは除湿機が動作中の状態であるにも関わらず、前記第一表示手段及び前記第二表示手段のいずれかもしくは両方が動作していない場合は、直ちに関係箇所の故障であると判別可能であり、これによる機能性の向上を図ることができる、という優れた効果を奏するものである。
【図面の簡単な説明】
【００２７】
【図１】本発明にかかる「圧縮空気圧回路用電磁式ドレントラップの制御装置」の実施形態を示す配管系統図である。
【図２】本発明にかかる「圧縮空気圧回路用電磁式ドレントラップの制御装置」を１台の電磁式ドレントラップ内に備えた場合の実施形態を示すブロック図である。
【図３】本発明にかかる「圧縮空気圧回路用電磁式ドレントラップの制御装置」と１台の電磁式ドレントラップとを夫々別の装置とした場合の実施形態を示すブロック図である。
【図４】本発明にかかる「圧縮空気圧回路用電磁式ドレントラップの制御装置」の実施形態を示すタイミングチャートである。
【発明を実施するための形態】
【００２８】
本発明は、圧縮空気の利用量に応じて吐出動作台数が制御される空気圧縮機２の群と、該空気圧縮機２の群が吐出する圧縮空気を貯留する１以上のエアータンク５とを有する圧縮空気圧回路におけるドレン排出のために接続される電磁式ドレントラップ６の制御装置１であって、該空気圧縮機２の群を構成する夫々の空気圧縮機２が発する空気圧縮機吐出動作信号もしくは該空気圧縮機吐出動作信号が入力される除湿機の除湿機運転信号を受信するための吐出動作信号受信手段１ｂを備え、該空気圧縮機吐出動作信号もしくは該除湿機運転信号が送出された時よりその送出が停止されるかもしくはそれ以後所定時間が経過するまでの期間をドレン排出可能なドレン排出可能期間とすると共に、該ドレン排出可能期間が終了し次に該空気圧縮機吐出動作信号もしくは該運転信号が再び送出されるまでの期間はドレン及び圧縮空気を排出しないドレン排出停止期間としたことを最大の特徴とする。
以下、本発明にかかる電磁式ドレントラップ６の制御装置１の実施形態を、図面に基づいて説明する。
【００２９】
なお、本発明にかかる電磁式ドレントラップ６の制御装置１は、以下に述べる実施形態に特に限定されるものではなく、本発明の技術的思想の範囲内、すなわち同一の作用効果を発揮できる素子、信号の処理の具体的手段、信号の正負、形状や寸法、材質等の範囲内で適宜変更することができ、例えば、主要な構成がロジックＩＣなどで構成されたり、ＰＬＤ、ＦＰＧＡ、ＡＳＩＣなどで構成されたり、マイクロコントローラーで構成されたり、ＰＬＣで構成されたりすることは、技術的思想の範囲内に含まれるべきことである。
【００３０】
はじめに、図１乃至図４により本発明の構成要素及びその制御態様について説明する。
【００３１】
本発明は、圧縮空気の利用量に応じて吐出動作台数が制御される空気圧縮機２の群と、該空気圧縮機２の群が吐出する圧縮空気を貯留する１以上のエアータンク５とを有する圧縮空気圧回路におけるドレン排出のために接続される電磁式ドレントラップ６の制御装置１であって、主に、大気が圧縮され、末端で種々の用途に供される前の圧縮、除湿、貯留の工程を担う圧縮空気圧回路の構成要素に接続される電磁式ドレントラップ６の制御装置１である。
【００３２】
ここで、空気圧縮機２は大気を圧縮して圧縮空気圧回路に圧縮空気を提供し、アフタークーラー３は圧縮熱を帯びた圧縮空気の予冷に供され、除湿機４はさらにそれを冷媒を備えた手段で冷却したり膜状手段などで除湿したりすることで露点を下げて末端でのドレン放出を防止するために供され、エアータンク５は圧縮空気の貯留と脈圧の平滑に供される。これらの機器は、夫々ドレンを多く排出するため、該ドレンを除去する目的で電磁式ドレントラップ６が備えられる。
【００３３】
また、本発明が接続され又は備えられる電磁式ドレントラップ６が接続される主要な圧縮空気圧回路構成としては、例えば１３５ｋＷ相当の空気圧縮機が吐出する風量を得たい場合に、４５ｋＷ相当の空気圧縮機２を合計３台の群として接続し、全体で１３５ｋＷ相当の風量を吐出可能な回路構成を採用し、圧縮空気の末端での使用が少ない場合に３台より少ない吐出動作台数とし、逆に最大風量もしくはそれに近い風量を得たい場合には３台同時に吐出動作させることで、吐出台数を制御して省エネを達成させる圧縮空気圧回路構成が挙げられる。
【００３４】
なお、上述の構成においてアフタークーラー３及び除湿機４は構成中それぞれの空気圧縮機２につき各１基、エアータンク５は圧縮空気圧回路構成中に１基備えられることが望ましく、またその接続順序も各々記載の順が望ましいが、エアータンク５と除湿機４の接続の順番が入れ替わる構成も考えられ、またその場合、エアータンク５は空気圧縮機２の数だけ備えられる場合も考えられる。
【００３５】
さらになお、上述の構成において、圧縮空気は、圧縮空気配管７を通り末端で種々の機器に供される。ドレンは、それが発生する空気圧縮機２、アフタークーラー３、除湿機４、エアータンク５より夫々ドレン排出のための配管を通り、電磁式ドレントラップ６に流入・排出され、ドレン集合配管８などに接続され、場合によってはドレンピッドや油水分離装置を経て、圧縮空気圧回路外部に適宜排出される。
【００３６】
ここで、電磁式ドレントラップ６については、通常、制御手段６ｂと電磁弁６ｃとを備え、制御手段が電子タイマーであり、所定周期で所定時間ドレンを排出するために電磁弁６ｃを動作させるタイマー制御方式であったり、制御手段６ｂと電磁弁６ｃの他にドレン溜めと水位センサーとを併せて備え、ドレン溜めの液位又はドレンの存在そのものを検知することで、ドレンを排出するために電磁弁６ｃを動作させるセンサー検知方式とが考えられるが、両者の利点を兼ね備えた特願２０１３−２３６５２１にみられる電磁式ドレントラップ６である場合も考えられる。
【００３７】
ところで、市場に存する空気圧縮機２の多くは、吐出動作時に空気圧縮機吐出動作信号を外部に送出する目的で吐出動作信号送出手段２ｂを備える。
【００３８】
吐出動作信号送出手段２ｂは、通常、圧縮空気の吐出動作が行われているのか否かを除湿機４に伝達する目的で備えられ、空気圧縮機２が吐出動作を行っている場合に除湿機４を運転させるという制御を行うことが多い。
【００３９】
ここで、除湿機４は、空気圧縮機２の吐出動作信号送出手段２ｂが送出する空気圧縮機吐出動作信号を受け運転を開始すると、空気圧縮機２に空気圧縮機吐出動作信号の返答の如く除湿機運転信号を送出するという制御も考えられ、それを空気圧縮機２が受けるための手段を備えていることもまた多い。
【００４０】
すなわち、本発明においては、除湿機４の除湿機運転信号は、空気圧縮機２の吐出動作信号送出手段２ｂの送出する空気圧縮機吐出動作信号と略同等の意味をもつものであるとみなすことができる。
【００４１】
吐出動作信号受信手段１ｂは、吐出動作信号送出手段２ｂより送出され、空気圧縮機２の空気圧縮機吐出動作信号もしくは除湿機４の除湿機運転信号を受信し、吐出動作信号９を得るための目的で備えられる。
【００４２】
ここで、吐出動作信号受信手段１ｂは、吐出動作信号送出手段２ｂもしくは除湿機４の除湿機運転信号送出のための手段がリレー接点方式又は半導体接点方式であることを鑑みれば、有電圧方式のものと無電圧方式のものが考えられ、その全てに容易に対応可能なフォトカプラを採用することが望ましいが、吐出動作信号送出手段２ｂの送出する信号を正しく受信し、それを後段の回路素子に伝達できるものであれば、どのような手段でも構わない。
【００４３】
切り替え手段１ｃは、吐出動作信号送出手段２ｂもしくは除湿機４の運転信号送出のための手段、又は吐出動作信号受信手段１ｂのいずれかが故障して動作しなくなった場合に、電磁式ドレントラップ６が一切ドレン排出のための動作を停止してしまうことを阻止するための手段であり、常に吐出動作信号受信手段１ｂに空気圧縮機吐出動作信号が受信されている状態と同様の状態に切り替えるための手段である。
【００４４】
ここで、切り替え手段１ｃは、自動的な手段であっても手動的な手段であっても構わず、実施形態によって適宜選択されればよい。ただし、圧縮空気の使用風量が少なく、常に回路中の空気圧縮機２のいずれかが停止しているような状態も考えられるため、手動的な手段の方が便利である。その場合の実施の形態としては、電子基板上のジャンパースイッチの有無もしくはその位置で切り替えるか、何某かのスイッチを用いて切り替えることが望ましい。
【００４５】
時間遅延手段１ｄは、時間遅延手段信号１０を送出するものであって、吐出動作信号送出手段２ｂの送出する吐出動作信号９を時間遅延させる目的で備えられる。時間遅延手段１ｄを備えることにより、空気圧縮機２が吐出動作を停止させてから、空気圧縮機２、アフタークーラー３、除湿機４、エアータンク５、並びに圧縮空気配管７に貯留した圧縮空気がそれぞれの設置周囲温近くにまで冷却される所定時間の間も、送出されている信号を得ることができる。
【００４６】
ここで、時間遅延手段１ｄは、吐出動作信号９の送出停止の瞬間より、前述の所定時間送出されていれば事足り、そのような物には単安定マルチバイブレータ、所定の周波数の発振回路の所定カウント数をコンペアマッチさせた回路などが考えられ、その遅延させる時間は実施例に応じて適宜決定されるが、単にバッファーを備えるだけでも構わず、その意味では遅延される時間はボリュームなどで可変でき得る構成が望ましく、図２の実施例のように１台の電磁式ドレントラップ６内に本発明を備えた場合では、図２上段の電磁式ドレントラップ６は、例えば１０分と設定し、図２下段の電磁式ドレントラップ６は０分と設定することで、両者は、略同時の動作タイミングを実現可能となる。
【００４７】
判断手段１ｅは、判断手段信号１１を送出するための目的で備えられ、吐出動作信号９と時間遅延手段信号１０を論理和もしくは否定論理和するための手段である。判断手段１ｅを備えることにより、吐出動作信号９の送出が開始されてからその送出が停止されるまでと、それに引き続く時間遅延手段信号１０の送出開始よりその送出が停止されるまでの両方を合わせた時間の間、送出されている信号を得ることができる。これにより、本発明は、空気圧縮機２の吐出動作の開始より、空気圧縮機２の吐出動作が停止し、空気圧縮機２、アフタークーラー３、除湿機４、エアータンク５、並びに圧縮空気配管７に貯留した圧縮空気がそれぞれの設置周囲温近くに冷却される所定時間までの間を連続して、電磁式ドレントラップ６にそれがドレン排出可能期間であって圧縮空気やドレンを排出可能である旨を伝達する信号、すなわち判断手段信号１１を送出することが可能となり、逆を考慮すると、判断手段信号１１が送出されていない期間はドレン排出停止期間であって圧縮空気やドレンを排出禁止である旨を送出していると考えることもできる。
【００４８】
ここで、判断手段１ｅは、２つの信号、すなわち吐出動作信号９と時間遅延手段信号１０を論理和もしくは否定論理和できればそれで事足り、そのようなものには信号線同士をダイオードＯＲした回路、ロジックＩＣ（ＯＲ・ＮＯＲ）などが考えられ、実施例に応じて適宜決定される。
【００４９】
さらにここで、判断手段１ｅの論理和もしくは否定論理和する対象に、切り替え手段１ｃを加えると回路構成を簡略なものにすることが可能である。
【００５０】
分配手段１ｆは、判断手段１ｅの送出する判断手段信号１１を電磁式ドレントラップ６に１以上分配する目的で備えられる。これにより、図３の実施例のように、本発明と電磁式ドレントラップ６が分離されている実施例などでは、電磁式ドレントラップ６は、少なくとも、切り替え手段１ｃ、時間遅延手段１ｄ、判断手段１ｅ並びに分配手段１ｆを備えることなく、空気圧縮機２の吐出動作の開始より、空気圧縮機２の吐出動作が停止し、空気圧縮機２、アフタークーラー３、除湿機４、エアータンク５、並びに圧縮空気配管７に貯留した圧縮空気がそれぞれの設置周囲温近くに冷却される所定時間までの間を、ドレン排出可能期間であると認識させてドレン及び圧縮空気排出のための動作を行うことができ、又それ以外の間は、ドレン排出停止期間であると認識できる。
【００５１】
ここで、分配手段１ｆは、電磁式ドレントラップ６の制御手段６ｂが認識できる信号を送出できれば事足り、そのような実施例としては、電磁式ドレントラップ６の電源をリレ−、ソリッドステートリレー、サイリスタ、トライアック、ＦＥＴ、トランジスタなどでＯＮ・ＯＦＦさせる実施例、リレー、フォトカプラ、ＩＣ、トランジスタ、ＦＥＴなどで制御信号として送出する実施例などが考えられる。
【００５２】
第一表示手段１ｇは、吐出動作信号受信手段１ｂの送出する吐出動作信号９を表示させる目的で備えられ、これにより、空気圧縮機２が現に吐出動作を行っているかを人間が測定機などを使用せずとも容易に確認することができる。
【００５３】
第二表示手段１ｈは、判断手段１ｅの送出する判断手段信号１１を表示させる目的で備えられ、これにより、空気圧縮機２が吐出動作を停止させ、第一表示手段１が表示をやめた場合に、第二表示手段が表示を行っていれば、それはすなわち、時間遅延手段１ｄにより時間遅延手段信号１０が送出されていることを、人間が測定機などを使用せずとも容易に確認することができる。第二表示手段１ｈは、機器の故障などの際に切り替え手段１ｃによって常に空気圧縮機２が吐出動作を行っている場合と同様の動作をさせている場合では、正しく判断手段１ｅが動作していることを確認する手段ともなり得る。
【００５４】
ここで、第一表示手段１ｇ及び第二表示手段１ｈは、人間が容易に認識できる表示手段であれば事足り、そのようなものには、ＬＥＤ、電燈、ブザーなどがあげられるが、実施例に応じて適宜決定される。
【００５５】
次に、図１乃至図４において、本発明にかかる電磁式ドレントラップの制御装置１の動作の流れを説明する。
【００５６】
空気圧縮機２は、接続される圧縮空気圧回路の圧縮空気の利用量に応じて吐出動作台数が制御される群として備えられ、群を構成する夫々の空気圧縮機２は、吐出動作時に空気圧縮機吐出動作信号を送出するための吐出動作信号送出手段２ｂを備えるものであって、該圧縮空気の利用量が少ない場合には群中に存する空気圧縮機２の幾つかが圧縮空気の吐出を停止することとなる。
【００５７】
ここでは、前記群を構成する１台の空気圧縮機２が前記圧縮空気の利用量の増減により、吐出動作を行ったり、行わなかったりする場合を説明する。
【００５８】
圧縮空気圧回路中の圧縮空気の利用量が増え、空気圧縮機２が吐出動作を開始する。前記空気圧縮機２が吐出動作を開始すると、吐出動作信号送出手段２ｂより空気圧縮機吐出動作信号が送出される。
【００５９】
空気圧縮機吐出動作信号を受けた吐出動作信号受信手段１ｂは、吐出動作信号９を判断手段１ｅへ送出し、その送出を受けた判断手段１ｅは、分配手段１ｆを通じ、電磁式ドレントラップ６へドレン排出可能期間である旨の信号を送出する。
【００６０】
またここでは、電磁式ドレントラップ６は、特願２０１３−２３６５２１にみられるような、ドレンタンクと水位センサーとを備え、制御手段６ｂにより電磁弁６ｃを制御する電磁式ドレントラップであることを想定する。
【００６１】
なお、各々の実施例では、電磁式ドレントラップ６について前項のものである必要がないことは言うまでもない。これは、説明の便宜を図るための実施例である。
【００６２】
電磁式ドレントラップ６は、分配手段１ｆよりドレン排出可能期間である旨の信号送出を受けると、所定のドレン排出のための動作を行う。
【００６３】
すなわち、ここにいう電磁式ドレントラップ６の制御手段６ｂは、ドレン排出可能期間の間、周期的に繰り返される制御サイクルＳにおいて微小開弁期間Ｔとセンサー検知期間とを有し、まず、微小開弁期間Ｔで所定時間排出指令信号１４により電磁弁６ｃを必ず開弁させ、密閉圧縮空気の排気を行い、ドレンタンクへドレンが流入しようとする際のエアーロック現象を解消させ、それに続くセンサー検知期間において、空気圧縮機２、アフタークーラー３、除湿機４、並びにエアータンク５より流入してくるドレンをドレンタンクに貯留させつつ、該ドレンタンクに備えられた水位センサーの上限極検知信号１３が送出されてから下限極検知信号１２が送出されなくなるまでの間、センサー検知に基づく排出指令信号１４により電磁弁６ｃを開弁させ、該ドレンを排出する。
【００６４】
圧縮空気圧回路中の圧縮空気の利用量が減り、空気圧縮機２が吐出動作を停止する。空気圧縮機２が吐出動作を停止すると、吐出動作信号送出手段２ｂは空気圧縮機吐出動作信号の送出を停止する。
【００６５】
空気圧縮機吐出動作信号の送出の停止を受信した吐出動作信号受信手段１ｂは、吐出動作信号９を判断手段１ｅへ送出するのを停止させるが、その瞬間に時間遅延手段１ｄは時間遅延手段信号１０の送出を開始するので、判断手段１ｅは、分配手段１ｆを通じ、なおも電磁式ドレントラップ６へドレン排出可能期間である旨の信号を送出し続ける。
【００６６】
時間遅延手段１ｄは、定められた所定時間、すなわち、空気圧縮機２、アフタークーラー３、除湿機４、エアータンク５、並びに圧縮空気配管７に貯留した圧縮空気がそれぞれの設置周囲温近くに冷却されるまでの間と略同義の時間、時間遅延手段信号１０を送出し、その間は、送判断手段１ｅは、分配手段１ｆを通じ、電磁式ドレントラップ６へドレン排出可能期間である旨の信号を送出し続ける。
【００６７】
時間遅延手段１ｄは、定められた所定時間が経過すると、時間遅延手段信号１０の送出を停止し、判断手段１ｅは、分配手段１ｆを通じ、電磁式ドレントラップ６へドレン排出可能期間である旨の信号を送出するのを停止して、すなわち、ドレン排出停止期間である旨の信号を送出し、該ドレン排出停止期間は、電磁式ドレントラップ６の排出指令信号１４は送出されず、電磁弁６ｃが動作することはなく、したがって、一切の圧縮空気を排気しないと共に、電磁弁６ｃの動作回数を増やさないことで、所定の動作回数で表される電磁弁６ｃの寿命を延ばすことが可能である。
【００６８】
そして、前述の動作は、空気圧縮機２の吐出動作とその停止の度、繰り返される。
【００６９】
以上の説明から明らかなように、本発明にかかる「圧縮空気圧回路用電磁式ドレントラップの制御装置」は、「発明の効果」記載の通り、多くの優れた効果を奏するものである。
【産業上の利用可能性】
【００７０】
本発明は、圧縮空気圧回路用電磁式ドレントラップの制御装置として、「発明の効果」記載の通り、多くの優れた効果を奏し、圧縮空気圧回路用電磁式ドレントラップにおいて広く採用することが可能である。したがって、本発明における「圧縮空気圧回路用電磁式ドレントラップの制御装置」の産業上の利用可能性は大であると思料する。
【符号の説明】
【００７１】
１    制御装置
１ｂ  吐出動作信号受信手段
１ｃ  切り替え手段
１ｄ  時間遅延手段
１ｅ  判断手段
１ｆ  分配手段
１ｇ  第一表示手段
１ｈ  第二表示手段
２    空気圧縮機
２ｂ  吐出動作信号送出手段
３    アフタークーラー
４    除湿機
５    エアータンク
６    電磁式ドレントラップ
６ｂ  制御手段
６ｃ  電磁弁
７    圧縮空気配管
８    ドレン集合配管
９    吐出動作信号
１０    時間遅延手段信号
１１    判断手段信号
１２    下限極検知信号
１３    上限極検知信号
１４    排出指令信号
【図１】
2015132167.tif 000003
【図２】
2015132167.tif 000004
【図３】
2015132167.tif 000005
【図４】
2015132167.tif 000006
【手続補正書】
【提出日】平成26年8月18日(2014.8.18)
【手続補正１】
【補正対象書類名】明細書
【補正対象項目名】００５３
【補正方法】変更
【補正の内容】
【００５３】
第二表示手段１ｈは、判断手段１ｅの送出する判断手段信号１１を表示させる目的で備えられ、これにより、空気圧縮機２が吐出動作を停止させ、第一表示手段１ｇが表示をやめた場合に、第二表示手段１ｈが表示を行っていれば、それはすなわち、時間遅延手段１ｄにより時間遅延手段信号１０が送出されていることを、人間が測定機などを使用せずとも容易に確認することができる。第二表示手段１ｈは、機器の故障などの際に切り替え手段１ｃによって常に空気圧縮機２が吐出動作を行っている場合と同様の動作をさせている場合では、正しく判断手段１ｅが動作していることを確認する手段ともなり得る。
【手続補正２】
【補正対象書類名】明細書
【補正対象項目名】００６６
【補正方法】変更
【補正の内容】
【００６６】
時間遅延手段１ｄは、定められた所定時間、すなわち、空気圧縮機２、アフタークーラー３、除湿機４、エアータンク５、並びに圧縮空気配管７に貯留した圧縮空気がそれぞれの設置周囲温近くに冷却されるまでの間と略同義の時間、時間遅延手段信号１０を送出し、その間は、判断手段１ｅは、分配手段１ｆを通じ、電磁式ドレントラップ６へドレン排出可能期間である旨の信号を送出し続ける。